(57)【要約】【課題】媒体を確実に繰出すことができるようにする。【解決手段】媒体Ｐを押圧する傾斜面と、収納部２の繰出し方向の壁面に接する垂直面とを有し、その傾斜面またはその傾斜面が延長された面と垂直面または垂直面が延長された面との交点１８から垂直面の上端５ｄまでの長さＬ２が交点１８から繰出しローラ６と傾斜面とが接する接点１５までの長さＬ１以上になるように形成され、収納部２の最上位の媒体Ｐに載置される媒体押さえ５を設けた。【選択図】        図１
2008230746.tif 000002
【特許請求の範囲】
【請求項１】
繰出し方向に傾斜させた底部に積層させて媒体を収納する収納部と、その収納部の最下位の媒体を１枚ずつ分離して繰出す繰出しローラとを備えた媒体繰出装置において、
媒体を押圧する傾斜面と、収納部の繰出し方向の壁面に接する垂直面とを有し、前記傾斜面または前記傾斜面が延長された面と前記垂直面または前記垂直面が延長された面との交点から前記垂直面の上端までの長さが前記交点から繰出しローラと前記傾斜面とが接する接点までの長さ以上になるように形成され、収納部の最上位の媒体に載置される媒体押さえを設けたことを特徴とする媒体繰出装置。
【請求項２】
請求項１の媒体繰出装置において、
前記媒体押さえの傾斜面を形成する部材に、媒体押さえの重心が繰出しローラの上方に位置するように錘を設けたことを特徴とする媒体繰出装置。
【請求項３】
請求項２の媒体繰出装置において、
前記媒体押さえの傾斜面を形成する部材を、端部が繰出しローラの近傍の反繰出し方向に位置するように形成された板材とし、
前記錘を、前記板材の傾斜面の反対面に固着させたことを特徴とする媒体繰出装置。
【請求項４】
請求項１、請求項２または請求項３の媒体繰出装置において、
前記媒体押さえの傾斜面の先端が、媒体押さえの垂直面または垂直面が延長された面の近傍に位置するように形成したことを特徴とする媒体繰出装置。
【請求項５】
請求項１から請求項３または請求項４の媒体繰出装置において、
前記収納部の底部を形成する底板を、繰出しローラより反繰出し方向の底板の傾斜が繰出し方向の底板の傾斜より緩くなるようにしたことを特徴とする媒体繰出装置。
【発明の詳細な説明】
【技術分野】
【０００１】
本発明は、媒体カセット等の収納部に装填された通帳、帳票や紙幣等の媒体を１枚ずつ分離して繰出す媒体繰出装置に関する。
【背景技術】
【０００２】
従来の媒体繰出装置は、媒体カセット等の収納部に装填された最上位の媒体上に錘を載置し、積層された最下位の媒体を繰出しローラに押圧させながら、その繰出しローラを回転させて１枚分の通過を許容するゲートにより１枚ずつ分離して繰出すようにしている（例えば、特許文献１参照）。
また、媒体上に載置される錘は、その錘の側面に設けられた突起部が収納部の内側の側面に設けられた溝に案内されて上下動可能に構成されているが、その突起部を支点として回動してしまい十分に媒体を繰出しローラに押圧することができないことがあった。
【０００３】
このような問題に鑑み、例えば図５に示すように媒体繰出装置１０１の収納部１０２に装填された媒体Ｐに当接する板材１０５ａと収納部１０２の繰出し口１１１側の側壁１０３に当接する板材１０５ｂとにより錘１０５を形成し、最下位の媒体Ｐを繰出しローラ１０６に押圧させるようにすることが考えられる。
【特許文献１】特開２００６−８２９４６号公報（段落「００１１」〜段落「００１５」、図１）
【発明の開示】
【発明が解決しようとする課題】
【０００４】
しかしながら、上述した図５に示す従来の技術においても、収納部１０２に装填された媒体Ｐが少なくなると繰出しローラ１０６と分離ローラ１０７の接線と収納部１０２の側壁に当接する板材１０５ｂの面の延長線が交わる点から収納部１０２の側壁に当接する板材１０５ｂの先端１０５ｄまでの長さＬ２がその点から媒体Ｐと繰出しローラ１０６の接点までの長さＬ１より短くなってしまうため、先端１０５ｄを支点とした回転モーメントが発生して錘１０５は浮き上がり、媒体Ｐを繰出しローラ１０６に押圧させる力が不十分になるため繰出し不良が発生するという問題がある。
【０００５】
また、中央部が錘１０５側、両端部が板材１０４側になるように湾曲した媒体Ｐが装填された場合、その媒体Ｐが残り少なくなると媒体Ｐと繰出しローラ１０６との間に隙間ができてしまうため、媒体Ｐを繰出しローラ１０６に押圧させる力が不十分になるため繰出し不良が発生するという問題がある。
さらに、中央部が板材１０４側、両端部が錘１０５側になるように湾曲した媒体Ｐが装填された場合、その媒体Ｐが残り少なくなると媒体Ｐの先端部が分離ゲート１０８の上方に位置するようになり、正確に繰出し口１１１へ導くことができず繰出し不良が発生するという問題がある。
【０００６】
本発明は、このような問題を解決することを課題とする。
【課題を解決するための手段】
【０００７】
そのため、本発明は、繰出し方向に傾斜させた底部に積層させて媒体を収納する収納部と、その収納部の最下位の媒体を１枚ずつ分離して繰出す繰出しローラとを備えた媒体繰出装置において、媒体を押圧する傾斜面と、収納部の繰出し方向の壁面に接する垂直面とを有し、前記傾斜面または前記傾斜面が延長された面と前記垂直面または前記垂直面が延長された面との交点から前記垂直面の上端までの長さが前記交点から繰出しローラと前記傾斜面とが接する接点までの長さ以上になるように形成され、収納部の最上位の媒体に載置される媒体押さえを設けたことを特徴とする。
【０００８】
また、前記媒体押さえの傾斜面を形成する部材に、媒体押さえの重心が繰出しローラの上方に位置するように錘を設けたことを特徴とする。
さらに、前記媒体押さえの傾斜面を形成する部材を、端部が繰出しローラの近傍の反繰出し方向に位置するように形成された板材とし、前記錘を、前記板材の傾斜面の反対面に固着させたことを特徴とする。
【発明の効果】
【０００９】
このようにした本発明は、収納部に装填された媒体が残り少なくなった場合、中央部が媒体押さえ側、両端部が底部側になるように湾曲した媒体が装填された場合、さらに中央部が底部側、両端部が媒体押さえ側になるように湾曲した媒体が装填された場合であっても、その媒体を分離ローラに充分な力で押圧することができ、媒体を確実に繰出すことができるようになるという効果が得られる。
【発明を実施するための最良の形態】
【００１０】
以下、図面を参照して本発明による媒体繰出装置の実施例を説明する。
【実施例１】
【００１１】
図１は第１の実施例における媒体繰出装置の側面を示す説明図である。
図１において、１は媒体繰出装置であり、装填された通帳、帳票や紙幣等の媒体Ｐを１枚ずつ分離して繰出すものである。この媒体繰出装置１は、例えば銀行等の金融機関の現金自動預払機、通帳発行装置、帳票発行装置等に組み込まれるものである。
なお、本実施例では媒体Ｐを通帳として説明するものとする。
【００１２】
２は収納部であり、媒体Ｐを積層して収納するものである。この収納部２は図中矢印Ａで示す繰出し方向に傾斜させた底部を形成する底板４の上に媒体Ｐを積層して収納する。
５は媒体押さえであり、収納部２に収納された最上位の媒体Ｐ上に載置されるものである。この媒体押さえ５は、略レ字状に形成され、媒体Ｐに当接してその媒体Ｐを押圧する傾斜面を形成する板材５ａ、その板材５ａの上面（媒体Ｐを押圧する傾斜面の反対面）に固着され、垂直方向の一面が繰出し方向側の収納部２の壁面２ａに接するように形成された板材５ｂ、および端部が繰出しローラの近傍の反繰出し方向に位置するように形成された板材５ａ、５ｂのその端部（反繰出し方向の後端部）の上面（媒体Ｐを押圧する傾斜面の反対面）に固着された錘５ｃ（例えば板状のもの）で形成されている。
【００１３】
また、この媒体押さえ５は、その側面に図示しない突起部が設けられ、収納部２の内側の側面に設けられた溝に案内されて上下動可能に構成されている。
６は繰出しローラであり、底板４に設けられた孔から外周面が突出するように収納部２の底部に設けられたものである。この繰出しローラ６は、媒体Ｐの搬送が容易になるように外周面の一部または全部にゴム等の高摩擦部材が取り付けられており、図示しないモータ等の駆動手段やその駆動を伝達する駆動伝達手段により正逆回転可能に構成され、図中反時計方向に回転して媒体押さえ５および媒体Ｐの自重により押圧されている最下位の媒体Ｐを矢印Ａが示す繰出し方向に搬送する。
【００１４】
７は分離ローラであり、繰出しローラ６の繰出し方向の下流に配置され、媒体Ｐ搬送が容易になるように外周面の一部または全部にゴム等の高摩擦部材が取り付けられており、図示しないモータ等の駆動手段やその駆動を伝達する駆動伝達手段により繰出しローラ６と同期して同方向に回転可能に構成されている。
８は分離ゲートであり、収納部２の開口部である媒体繰出し口１１の近傍に配置され、分離ゲート軸９に回動自在に取り付けれ、収納部２から繰出された媒体Ｐを１冊ずつ分離するためのものである。
【００１５】
この分離ゲート８は対向配置された分離ローラ７との間が媒体Ｐの１冊の厚さよりやや広い間隔となるように配置されている。また、この分離ゲート８は収納部２の壁面に設けられたスプリング１０で分離ローラ７側に付勢されている。
ここで、図１は収納部２に一冊の媒体Ｐが収納された状態を示し、この図１において、接点１５は収納部２に収納された媒体Ｐと繰出しローラ６との接点を示し、接点１６は繰出された媒体Ｐと分離ローラ７との接点を示し、接点１７は媒体押さえ５の板材５ｂの先端５ｄと収納部２の壁面２ａの接点を示している。
【００１６】
また、交点１８は、接点１５および接点１６を通る直線２０と板材５ｂと壁面２ａの接線２１との交点を示している。
この接点１５と交点１８の距離をＬ１、接点１７と交点１８の距離をＬ２とすると、媒体押さえ５の板材５ｂは、Ｌ２がＬ１以上になるように形成されている。
すなわち、媒体押さえ５は、板材５ａの傾斜面またはその傾斜面が延長された面と板材５ｂの垂直面またはその垂直面が延長された面との交線（交点１８）から板材５ｂの垂直面の上端５ｄまでの長さＬ２が交線（交点１８）から繰出しローラ６と板材５ａの傾斜面とが接する線（接点１５）までの長さＬ１以上になるように形成されている。
【００１７】
このように媒体押さえ５を形成することで接点１７を支点とした回転モーメントにより媒体押さえ５が浮き上がることがなくなる。
また、媒体押さえ５の板材５ａの繰出し方向の先端５ｅは接線２１の直近（近傍）に位置するように形成され、板材５ａ、５ｂの端部は接点１５の反繰出し方向に位置するように形成されている。
【００１８】
さらに、錘５ｃは媒体押さえ５の重心が接点１５の上方に位置するように配置されている。
上述した構成の作用について説明する。
なお、各実施例において媒体繰出装置１が行う動作は図示しないメモリ等の記憶手段に記憶された制御プログラム（ソフトウェア）に基づいて図示しない制御手段により制御されるものとする。
【００１９】
媒体繰出装置１の収納部２に媒体Ｐが装填された状態で図示しない上位装置から媒体Ｐを繰出す指示を受信すると、図示しない制御手段により媒体Ｐの繰出し動作が開始される。
図１において、図示しない駆動手段により繰出しローラ６および分離ローラ７が反時計方向に回転すると媒体押さえ５により繰出しローラ６に押圧された最下位の媒体Ｐは繰出し口１１の方向へ繰出され、繰出された媒体Ｐの先端が繰出し口１１を１冊ずつ通過して図示しない媒体搬送路へ送り出される。
【００２０】
このとき、板材５ａ、５ｂの端部は接点１５の反繰出し方向に位置するように形成され、また媒体押さえ５の重心が接点１５の上方に位置するため、媒体Ｐは媒体押さえ５により充分な力で繰出しローラ６に押圧され、確実に繰出される。
特に、収納部２に装填された媒体Ｐが残り１冊になった場合であっても、媒体押さえ５の板材５ｂは、上述したＬ２がＬ１以上になるように形成されているため、接点１７を支点とした回転モーメントにより媒体押さえ５が浮き上がることなく、媒体Ｐを繰出しローラ６に押圧することができる。
【００２１】
また、媒体押さえ５の板材５ａの繰出し方向の先端５ｅが接線２１の直近に位置するように形成されているため、繰出し方向の先端部が湾曲した媒体Ｐであってもその先端部を媒体押さえ５が充分な力で押圧し、媒体Ｐの湾曲した部位を修正して確実に媒体繰出し口１１へ案内することができる。
さらに、錘５ｃを板材５ａ、５ｂの反繰出し方向側の後端部の上面に固着し、錘５ｃと底板４との間に空間を形成するようにしているため、反繰出し方向側の端部が湾曲した媒体Ｐにより媒体押さえ５を押し上げられることなく、媒体押さえ５は媒体Ｐを繰出しローラ６に充分な力で押圧することができる。
【００２２】
図２は第１の実施例における中央部が媒体押さえ側、両端部が底板側に湾曲した媒体が装填された場合の説明図であり、図２において、媒体Ｐは、その中央部が媒体押え５側、両端部が底板４側になるように湾曲したものを示している。このように中央部が媒体押え５側、両端部が底板４側になるように湾曲した媒体Ｐが装填された場合であっても、媒体押さえ５は、その重心が接点１５の上方に位置するように形成されているため、図中実線で示すように媒体Ｐは媒体押さえ５により充分な力で繰出しローラ６に押圧され、確実に繰出される。
【００２３】
図３は第１の実施例における中央部が底板側、両端部が媒体押さえ側に湾曲した媒体が装填された場合の説明図であり、図３において、媒体Ｐは、その中央部が底板４側、両端部が媒体押え５側になるように湾曲したものを示している。このように中央部が底板４側、両端部が媒体押え５側になるように湾曲した媒体Ｐが装填された場合であっても、錘５ｃと底板４との間に充分な空間を形成するようにしているため、媒体Ｐの反繰出し方向側の端部により媒体押さえ５が押し上げられることなく、媒体押さえ５は媒体Ｐを繰出しローラ６に充分な力で押圧することができる。
【００２４】
このように構成された媒体繰出装置１は収納部２に装填された媒体Ｐを最後の１冊まで正確に繰出し口１１へ導き、１冊ずつ分離して繰出すことができる。
以上説明したように、第１の実施例では、収納部２に装填された媒体Ｐが残り１冊になった場合であっても、接点１７を支点とした回転モーメントにより媒体押さえ５が浮き上がることがないようにしたため、媒体Ｐを繰出しローラ６に充分な力で押圧することができ、媒体Ｐを確実に繰出すことができるようになるという効果が得られる。
【００２５】
また、中央部が媒体押え５側、両端部が底板４側になるように湾曲した媒体Ｐが装填された場合であっても、媒体押さえ５は、その重心が接点１５の上方に位置するように形成されているため、媒体Ｐを繰出しローラ６に充分な力で押圧することができ、媒体Ｐを確実に繰出すことができるようになるという効果が得られる。
さらに、中央部が底板側、両端部が媒体押さえ側になるように湾曲した媒体Ｐが装填された場合であっても、錘５ｃと底板４との間に充分な空間を形成するようにしているため、媒体Ｐの反繰出し方向側の端部により媒体押さえ５が押し上げられることなく、媒体Ｐを繰出しローラ６に充分な力で押圧することができ、媒体Ｐを確実に繰出すことができるようになるという効果が得られる。
【００２６】
また、繰出し方向の先端部が湾曲した媒体Ｐであっても、その先端部を媒体押さえ５が充分な力で押圧するようにしたため、媒体Ｐの湾曲した部位を修正して確実に媒体繰出し口１１へ案内することができるという効果が得られる。
【実施例２】
【００２７】
図４は第２の実施例における媒体繰出装置の側面を示す説明図である。
第１の実施例の構成と異なる部分を以下に説明する。
図４において、４１は収納部２の底部を構成する底板である。底板４１ａは繰出しローラ６の繰出し方向の底部、底板４１ｂは繰出しローラ６の反繰出し方向の底部を形成するものである。
【００２８】
底板４１ａおよび底板４１ｂは繰出し方向に傾斜させて形成され、底板４１ｂの傾斜角は底板４１ａの傾斜角より緩くなるように、例えば水平または水平に近くなるように形成されている。
５ｆは錘であり、媒体押さえ５の板材５ａ、５ｂの反繰出し方向側の後端部の上面に固着され、さらにその後端の近傍で上方向に屈折するように形成されている。
【００２９】
このように底板４１ｂと錘５ｆとで形成される空間が広くなるようにしている。
媒体押さえ５の板材５ａの繰出し方向の先端５ｅは接線２１の直近に位置するように形成され、板材５ａ、５ｂの端部は接点１５の反繰出し方向に位置するように形成され、錘５ｃは媒体押さえ５の重心が接点１５の上方に位置するように配置されているのは第１の実施例と同様である。
【００３０】
なお、上述した第１の実施例と同様の部分は、同一の符号を付してその説明を省略する。
上述した構成の作用について説明する。
収納部２に媒体Ｐが装填された状態で図示しない上位装置から媒体Ｐを繰出す指示を受信すると、図示しない制御手段により媒体Ｐの繰出し動作が開始される。
【００３１】
図４において、図示しない駆動手段により繰出しローラ６および分離ローラ７が反時計方向に回転すると媒体押さえ５により繰出しローラ６に押圧された最下位の媒体Ｐは繰出し口１１の方向へ繰出され、繰出された媒体Ｐの先端が繰出し口１１を１冊ずつ通過して図示しない媒体搬送路へ送り出される。
このとき、図４に示すように中央部が媒体押さえ５側、両端部が底板４側になるように湾曲した媒体Ｐが装填された場合であっても、底板４１ｂで確保された空間に媒体Ｐが湾曲した状態で収められ、媒体Ｐは媒体押さえ５により充分な力で繰出しローラ６に押圧され、確実に繰出される。
【００３２】
また、中央部が底板４側、両端部が媒体押さえ５側になるように湾曲した媒体Ｐが装填された場合であっても、錘５ｆと底板４１ｂとの間に充分な空間を形成するようにしているため、媒体Ｐの反繰出し方向側の端部により媒体押さえ５を押し上げられることなく、媒体押さえ５は媒体Ｐを繰出しローラ６に充分な力で押圧することができる。
以上説明したように、第２の実施例では、第１の実施例の効果に加え、中央部が媒体押さえ５側、両端部が底板４側になるように湾曲した媒体Ｐが装填された場合であっても、底板４１ｂで確保された空間に媒体Ｐが湾曲した状態で収められ、媒体押さえ５は充分な力で媒体Ｐを繰出しローラ６に押圧することができ、媒体Ｐをより確実に繰出すことができるようになるという効果が得られる。
【００３３】
また、中央部が底板４側、両端部が媒体押さえ５側になるように湾曲した媒体Ｐが装填された場合であっても、錘５ｆと底板４１ｂとの間に充分な空間を形成するようにしているため、媒体Ｐの反繰出し方向側の端部により媒体押さえ５が押し上げられることなく、媒体押さえ５は充分な力で媒体Ｐを繰出しローラ６に押圧することができ、媒体Ｐをより確実に繰出すことができるようになるという効果が得られる。
【図面の簡単な説明】
【００３４】
【図１】第１の実施例における媒体繰出装置の側面を示す説明図
【図２】第１の実施例における中央部が底板側、両端部が媒体押さえ側に湾曲した媒体が装填された場合の説明図
【図３】第１の実施例における中央部が媒体押さえ側、両端部が底板側に湾曲した媒体が装填された場合の説明図
【図４】第２の実施例における媒体繰出装置の側面を示す説明図
【図５】従来の媒体繰出装置の側面を示す説明図
【符号の説明】
【００３５】
１    媒体繰出装置
２    収納部
２ａ  壁面
４    底板
５    媒体押さえ
６    繰出しローラ
７    分離ローラ
８    分離ゲート
９    分離ゲート軸
１０  スプリング
１１  媒体繰出し口
【図１】
2008230746.tif 000003
【図２】
2008230746.tif 000004
【図３】
2008230746.tif 000005
【図４】
2008230746.tif 000006
【図５】
2008230746.tif 000007